(57)【要約】【課題】横断面円形の中高形状を有し、装飾用品、裁縫用具、ビーズ、各種の鍵または果物等を入れる小物入れとして、また卓上や棚の置物としても利用が可能であって、全体が繊維で覆われていて、手触りがソフトで、外観がファッション性に優れ、上記のビーズや指輪その他の硬い小物を入れた際も騒音の発生しないリボン巻き成形体を提供する。【解決手段】長尺の繊維製リボン11にホットメルト型両面接着テープ15を貼付けて巻取り、得られた複合テープ17の円板形巻物17Mを鉢型20に押し当てて鉢形に成形し、得られた鉢形の成形体17Hを加熱処理し、上記接着テープ15の溶融で上記リボン11の各隣接部を接着して鉢形のリボン巻き成形体18を得る。【選択図】      図３
2005126122.tif 000002
【特許請求の範囲】
【請求項１】
長尺の繊維製リボンを巻いて形成した円板形の巻物からなり、上記巻物の外周部または中心部のリボンに対して残りのリボンの少なくとも一部が隣接リボンとの接触を保持した状態で巻物の中心線方向に押出されて上記の巻物が横断面円形の中高形状に成形されており、かつ上記リボン相互の接触部が接着で固定されていることを特徴とするリボン巻き成形体。
【請求項２】
リボン相互の接触部があらかじめリボンに積層して巻かれたホットメルト型の両面接着テープで接着されている請求項１記載のリボン巻き成形体。
【請求項３】
リボン相互の接触部が中高形状に成形後の巻物に液状樹脂を塗布、含浸させることにより接着されている請求項１記載のリボン巻き成形体。
【発明の詳細な説明】
【技術分野】
【０００１】
この発明は、繊維製リボンの巻物を皿形、鉢形、漏斗形その他の中高形状に成形して得られるリボン巻き成形体に関し、指輪、ネックレス、ペンダント等の装飾品、針山、指抜き等の裁縫用具、ビーズ、爪切り、キー等の各種小物または蜜柑、りんご等の果物を入れるのに好適で、手触りや風合いがソフトな小物入れとして、又は置物、花器としても利用が可能なリボン製品を提供するものである。
【背景技術】
【０００２】
小物入れとして、卓上に置く卓上型、壁や扉に取付ける壁掛け型、携帯用の袋形のもの等、種々のものが知られている。そして、卓上型においても、単に上面が開放された箱形のものから仕切り板付き、蓋付きのもの、引き出し付きのもの等、
種々のものが知られているが、いずれも木やプラスチック、金属等で作られ、手触りが硬く、冷たいものであった。また、緩衝性を備えた収納ケースも知られているが、箱を二重壁構造とし内壁と外壁の間に発泡体を入れたものであるため、強い衝撃を緩和することはできても、収納物と接する内壁の表面そのものは硬い手触りの平滑面となっていた。
【特許文献１】特開2001-072072号公報
【特許文献２】特開2003-165578号公報
【０００３】
なお、竹や籐、柳および針金等の線状材料を編んで作られた篭形の小物入れも知られており、特に籐や柳等の天然素材を用いた小物入れは、外観が素朴な点で愛好者も多い。しかしながら、この線状材料からなる篭形の小物入れは、目が粗くなるため、ビーズや指輪のように形が特別小さい物は入れることができず、用途が限られていた。
【発明の開示】
【発明が解決しようとする課題】
【０００４】
この発明は、横断面円形の中高形状、例えば皿形、鉢形、漏斗形等の形を有し、前記の装飾品、裁縫用具、ビーズ、各種の鍵または果物等を入れる小物入れとして、また卓上や棚の置物としても利用が可能であって、繊維製リボンの巻物を成形材料に用いて容易に作ることができ、全体が繊維で覆われていて、手触りがソフトで、外観がファッション性に優れ、上記のビーズや指輪その他の硬い小物を入れた際も騒音の発生しないリボン巻き成形体を提供するものである。
【課題を解決するための手段】
【０００５】
この発明に係るリボン巻き成形体は、長尺の繊維製リボンを巻いて形成した円板形の巻物を用いて作られる。すなわち、上記巻物の外周部または中心部のリボンに対して残りのリボンの少なくとも一部が巻物の中心線方向、換言すればリボンの幅方向に押出されることにより上記の巻物が横断面円形の中高形状に成形されている。ただし、任意のリボンと隣接リボンとは互いに接触を保持した状態に置かれる。この場合、リボン相互の接触幅は、少なくともリボン幅の1/2以上、特に2/3以上が好ましく、1/2未満では中高形状が崩れ易くなる。そして、上記リボン相互の接触部が接着で固定される。
【０００６】
この発明で用いる繊維製リボンの巻物は、繊維製リボンが一端を芯にして渦巻き状に巻かれたもので、円板形の外観を備えている。そして、この発明の成形体は、上記の巻物を水平に置いた場合、巻物を構成するリボンの一部を上下方向つまりリボンの幅方向にずらすことにより皿形、鉢形、漏斗形等の中高形状に成形される。したがって、リボンの片側耳部および他側耳部がそれぞれリボン巻き成形体の内面および外面を形成し、上記巻物の外周に位置するリボンの表面がリボン巻き成形体の大径側縁部外面を形成する。そのため、上記成形体の内外面だけでなく、肉部または骨格部も繊維で構成される。            
【０００７】
したがって、上記のリボン巻き成形体は、全体として繊維製品のソフトな外観、手触りおよび弾力性を備え、しかもリボンの巻物からなり、隣接するリボンとリボンとが密接し、リボン相互間に隙間がないため、上記円板形巻物の巻き始め部分に相当する巻物中心部の穴を十分小さくして塞いだ場合は、ビーズのように小さい物でも入れることができ、またガラスや宝石、金属製品等を入れる際に騒音を発することもない。反対に、巻物中心部の穴を直径数mmないし20mm程度に大きく形成した場合は、この穴に直接、または穴にあらかじめ挿入されている管を介して花の茎や木の枝を通して花器として用いることができる。また、幅を揃えた色違いのリボン複数本を重ねて用いたり、または長さ方向に継ぎ足して用いたりして模様を形成することができ、また２色の縞柄を有するリボンを用いた場合は、成形体の内面と外面の色を変えることができる。
【０００８】
上記繊維製リボンの構成繊維は、編織用の繊維であれば、天然繊維、化学繊維のいずれでも良いが、ナイロンやポリエステル等の合成繊維からなるフィラメント糸、特に巻縮を有しない生のフィラメント糸は、表面が平滑で、伸縮性が乏しいため、中高形状に成形する際の摩擦が少なく、成形が容易な点で好ましい。また、上記フィラメント糸の繊度は、50〜210デニールが好ましく、50デニール未満では強度が不足し、210デニールを超えると、緻密さに欠け、美観が低下する。そして、上記のリボンは、織物または経編地のいずれでもよいが、テープ織機で織られた耳つきリボンは、伸縮性に乏しく、かつ耳のほつれがない点で好ましい。なお、上記リボンの幅は5〜20mm、特に10〜15mmが好ましく、5mm未満では成形の際に型崩れが起き易く、成形が困難であり、20mmを超えると不経済である。
【０００９】
この発明のリボン巻き成形体において、リボン相互の隣接部を接着する手段は、任意であるが、リボン相互の隣接部を、リボンにあらかじめ重ねて巻かれたホットメルト型の両面接着テープで接着するのが有利である。すなわち、上記の繊維製リボンを円板形に巻取る際、リボンの裏面にホットメルト型の両面接着テープをあらかじめ接着したものを巻取り、前記の成形後に成形品をキュアリングし、上記の両面接着テープを溶融してリボン相互の隣接部を接着する。この場合は、リボンの風合いが全く損なわれない。なお、上記接着テープの幅は、リボン幅の50パーセント以上100パーセント未満が強度および外観の点で好ましい。
【００１０】
また、上記の両面接着テープを用いない手段として、上記の中高形状に成形されたリボンの巻物に液状樹脂を塗布、含浸させ、乾燥して接着する手段があげられる。すなわち、前記のリボンのみを巻取って円板形にし、これを皿形等の中高形状に成形した後、この成形体の内面または外面の少なくとも片面、好ましくは両面に液状樹脂を塗布し、含浸させ、しかるのち乾燥することにより、リボン相互の隣接部を接着し、同時に樹脂膜を形成するものであり、両面接着テープを用いる場合に比べて繊維の肌触りが低下する反面、表面が滑らかになり、気密性が向上し、汚れ落としが容易になる。なお、上記の液状樹脂としては、エポキシ系接着剤、アクリルエマルジョン、酢酸ビニルエマルジョン等が例示される。
【発明の効果】
【００１１】
この発明に係るリボン巻き成形体は、全体として繊維製品のソフトな外観、手触りおよび弾力性を備え、小物入れや花器その他の置物として単独で用いることも、またガラスその他の器と重ねて用いることもでき、小物入れとしては、ビーズのように小さい物をいれても脱落することがなく、またガラスや宝石、金属製品等を入れても騒音を発することがない。そして、繊維製リボンの円板形巻物を用いて容易に製造することができ、上記リボンの選択により種々の模様を形成することも可能であり、ファッション性も良好である。特に請求項２に係る発明は、繊維の風合い、手触りをそのまま残すことができる。また、請求項３に係る発明は、成形体の表面を滑らかにすることができ、汚れ落しが容易になる。
【発明を実施するための最良の形態】
【００１２】
図１において、10は鉢形の小物入れ（リボン巻き成形体）、10aはその口部、10bは底部であり、口部10bの外側に繊維製リボン11の全幅が現れている。この小物入れ10は、繊維製リボン11からなる円板形巻物を水平に固定し、その外周部に対し内側部分を下向きに押出して半球状に膨出させ、外周部で口部10aを形成し、中心部で平坦な底部10b
を形成したものであり、その内側には直接小物を入れることができ、またガラス器を重ねて、水を入れることもできる。また、図２において、10Aは漏斗形の置物（リボン巻き成形体）、10a
はその基部、10bは頂部であり、基部10aの外側に繊維製リボン11の全幅が現れている。この置物10Aは、繊維製リボン11からなる円板形巻物を水平に固定し、その外周部に対し内側部分を上向きに押出して中心部を高く突出させ、外周部で基部10aを形成し、中心部で細い頂部10b
を形成したものであり、頂部10b には小穴10cが開口し、この小穴10cに花の茎やペン軸等が挿入可能となっている。なお、基部10aの内側空間には他の小型容器、例えば水の入った小形グラスを置くことができ、また図示のように小穴10cに試験管状の筒形容器Ｐを挿入固定し、この筒形容器Ｐに水を入れて花器とすることもできる。
【００１３】
図３は、ホットメルト型両面接着テープを用いた成形方法を示す。前記の繊維製リボン11は、その円板形の巻物から引き出され、または織機から導かれ、図３（a）に示すように、矢印P方向に送られて１組のニップローラ13を通過し、その際、リボン11の下面に下方の巻きテープ14から引出されたホットメルト型両面接着テープ15が重ねられる。次いで、上記のリボン11は、接着テープ15と共に加熱ローラ16aおよび支持ローラ16bのニップ部を通過してリボン11の下面に接着テープ15が接着される。そして、冷却され、裏面の離型紙（図示されていない）が剥離された後、上記のリボン11と接着テープ15の複合テープ17は、リボン11が外側を向くように渦巻き状に巻取られて円板形巻物17Mとなる。
【００１４】
上記の円板形巻物17Mは、複合テープ17の巻き終り端を巻物17Mの外周に接着固定した状態で、図３（ｂ）に示すように、うつ伏せに固定されている鉢型20の頂部に置かれる。次いで、図３（ｃ）に示すように、巻物17Mを構成している複合テープ17を、巻物17Mの中心部のものから中間部のもの、外周部のものへと順に下方へ押出して上記複合テープ17相互の接触部にずれを生じさせ、ほとんど全ての複合テープ17の下側耳部を鉢型20に接触させ、これによって上記の円板形巻物17Mを鉢形に成形する。
【００１５】
次いで、図３（ｄ）に示すように、上記の複合テープ17からなる鉢形巻物17Hの上に第２の鉢型21を被せ、上下２個の鉢型20、21の縁部を複数個のクリップや万力22で挟んで上記２個の鉢型20、21を互いに結合し、リボン11に厚さ方向の圧力を加え、次いで熱処理を施して上記複合テープ17中の接着テープ15を溶融し、複合テープ17相互の接触部すなわちリボン11相互の接触部を接着する。しかるのち、冷却し、図３（e）に示すように、鉢形巻物17Hを鉢形小物入れ18として取り出す。図４は、得られた鉢形小物入れ18の拡大断面図であり、11は前記の繊維製リボン、15はホットメルト型両面接着テープである。なお、図３の鉢型20、21に代えて２個の漏斗型を用いることにより、図２の漏斗形の置物を成形することができる。
【００１６】
上記の繊維製リボン11として、ナイロンフィラメント糸の経糸（70デニール）と緯糸（210デニール）からなる織物リボン（幅：13mm、長さ：50m、厚さ：約0.3mm）を用い、これにポリアミド系のホットメルト型両面接着テープ（幅:10mm）を前記のように貼付けて巻取り、直径150mmの円板形巻物17M（図３参照）を得た。次いで、上記の巻物17Mを２個の鉢型20、21によって成形し、強く挟んだまま温度120℃で20分間加熱して鉢形のリボン巻き成形体18（直径：150mm、高さ：53mm、深さ：40mm）を得た。また、上記の鉢型20、21に代えて漏斗型（図示されていない）を用い、その他は上記同様にして漏斗形のリボン巻き成形体（図２参照、直径：155mm、高さ：140mm、小穴10cの径：13mm）を得た。
【００１７】
上記の図３において、リボン11と接着テープ15の複合テープ17からなる円板形巻物17Mに代えて、リボン11のみからなる円板形巻物を用い、その他は図３の（a）、（b）に示すようにして上記のリボン11のみからなる円板形巻物を鉢形に成形し、得られた鉢形巻物17Hの内外両面に液状樹脂、例えばエポキシ系接着剤                  を塗布、含浸させ、乾燥することにより、図５の鉢形小物入れ25を得る。この図５において、11は繊維製リボン、17Hは鉢形巻物、21は樹脂層21であり、この樹脂層21がリボン11の隣接部に浸透してリボン11相互を接着し、リボン11からなる巻物17Hを小物入れ25の形態に維持する。
【図面の簡単な説明】
【００１８】
【図１】実施形態に係る鉢形小物入れ（リボン巻き成形体）の斜視図である。
【図２】リボンからなる漏斗形置物（リボン巻き成形体）の斜視図である。
【図３】上記鉢形小物入れの製造方法を示す説明図である。
【図４】実施形態要部の拡大断面図である。
【図５】他の実施形態の拡大断面図である。
【符号の説明】
【００１９】
10：小物入れ（リボン巻き成形体）、10a：口部、10b：底部
10A：置物（リボン巻き成形体）
11：繊維製リボン、11a：一端、11b：他端
13：ニップローラ
15：ホットメルト型両面接着テープ
16a：加熱ローラ、16b：支持ローラ
17:複合テープ、17M：円板形巻物、17H：鉢形巻物（リボン巻き成形体）
18、25：鉢形小物入れ（リボン巻き成形体）
20、21：鉢型
22：クリップ
Ｐ：筒形容器
【図１】
2005126122.tif 000003
【図２】
2005126122.tif 000004
【図３】
2005126122.tif 000005
【図４】
2005126122.tif 000006
【図５】
2005126122.tif 000007